(57)【要約】【課題】無線装置の状態に応じて無線装置に対する更新処理を効率的に実行する技術を提供する。【解決手段】状態通知受信部５４は、複数の無線装置のそれぞれから、当該無線装置の状態に関する状態通知を受信する。調節部５６は、状態通知受信部５４において受信した状態通知をもとに、複数の無線装置のそれぞれに対する優先順位を調節する。更新データ送信部６０は、調節部５６において調節した優先順位に応じた順番によって、複数の無線装置のそれぞれに対して、当該無線装置を更新させるための更新データを送信する。【選択図】図５
2018136586.tif 000002
【特許請求の範囲】
【請求項１】
複数の無線装置のそれぞれから、当該無線装置の状態に関する状態通知を受信する受信部と、
前記受信部において受信した状態通知をもとに、前記複数の無線装置のそれぞれに対する優先順位を調節する調節部と、
前記調節部において調節した優先順位に応じた順番によって、前記複数の無線装置のそれぞれに対して、当該無線装置を更新させるための更新データを送信する送信部と、
を備えることを特徴とする管理装置。
【請求項２】
更新データの書換対象であることを通知するための書換通知を無線装置に送信する通知部をさらに備え、
前記受信部は、前記通知部が書換通知を送信した無線装置からの状態通知を受信することを特徴とする請求項１に記載の管理装置。
【請求項３】
前記調節部は、状態通知の内容に応じて、優先順位を調節する際の重み付け値を変更することを特徴とする請求項１または２に記載の管理装置。
【請求項４】
無線装置であって、
通信処理を非実行である期間を計測する計測部と、
前記計測部において計測した期間が一定期間に達したことを示した状態通知を管理装置に送信する送信部と、
前記送信部が状態通知を送信した後、前記状態通知をもとに前記管理装置が複数の無線装置のそれぞれに対する優先順位を調整し、優先順位に応じた順番によって送信される本無線装置を更新させるための更新データを受信する受信部と、
を備えることを特徴とする無線装置。
【請求項５】
複数の無線装置と、
前記複数の無線装置のそれぞれを更新させるための更新データを管理する管理装置とを備え、
前記管理装置は、前記複数の無線装置のそれぞれから、当該無線装置の状態に関する状態通知を受信すると、状態通知をもとに前記複数の無線装置のそれぞれに対する優先順位を調節し、優先順位に応じた順番によって前記複数の無線装置のそれぞれに更新データを送信することを特徴とする通信システム。
【請求項６】
複数の無線装置と、
前記複数の無線装置のそれぞれの通信状態を制御するトランキング装置と、
前記複数の無線装置のそれぞれを更新させるための更新データを管理する管理装置とを備え、
前記管理装置は、前記トランキング装置から、前記複数の無線装置のそれぞれの状態に関する状態通知を受信すると、状態通知をもとに前記複数の無線装置のそれぞれに対する優先順位を調節し、優先順位に応じた順番によって前記複数の無線装置のそれぞれに更新データを前記トランキング装置経由で送信することを特徴とする通信システム。
【請求項７】
複数の無線装置のそれぞれから、当該無線装置の状態に関する状態通知を受信するステップと、
受信した状態通知をもとに、前記複数の無線装置のそれぞれに対する優先順位を調節するステップと、
調節した優先順位に応じた順番によって、前記複数の無線装置のそれぞれに対して、当該無線装置を更新させるための更新データを送信するステップと、
を備えることを特徴とする管理方法。
【発明の詳細な説明】
【技術分野】
【０００１】
本発明は、通信技術に関し、特に更新データを伝送する管理装置、無線装置、通信システム、管理方法に関する。
【背景技術】
【０００２】
電子機器に記憶されたプログラムやデータをアップデートすべき場合が生じる。このようなアップデートは、例えば、無線回線を介してなされる。その際、基地局装置は、アップデートの対象となる電子機器に対してリクエストを送信する。さらに、基地局装置は、リクエストを送信した後、スリープ状態から復帰した電子機器に対して、アップデート内容を送信する（例えば、特許文献１）。
【先行技術文献】
【特許文献】
【０００３】
【特許文献１】国際公開第０５／０５９８６２号パンフレット
【発明の概要】
【発明が解決しようとする課題】
【０００４】
無線回線を介してアップデート内容を送信する場合、電子機器である無線装置がアップデート可能な状態であることが必要とされる。アップデート可能な状態とは、アップデート内容を受信可能であるとともに、受信したアップデート内容を反映させる処理を実行可能な状態である。その一例は、スリープ状態からの復帰であるが、それ以外にもさまざまな状態が含まれる。そのため、無線装置のさまざまな状態に応じて、アップデートのような更新処理を効率的に実行することが望まれる。
【０００５】
本発明はこうした状況に鑑みてなされたものであり、その目的は、無線装置の状態に応じて無線装置に対する更新処理を効率的に実行する技術を提供することである。
【課題を解決するための手段】
【０００６】
上記課題を解決するために、本発明のある態様の管理装置は、複数の無線装置のそれぞれから、当該無線装置の状態に関する状態通知を受信する受信部と、受信部において受信した状態通知をもとに、複数の無線装置のそれぞれに対する優先順位を調節する調節部と、調節部において調節した優先順位に応じた順番によって、複数の無線装置のそれぞれに対して、当該無線装置を更新させるための更新データを送信する送信部と、を備える。
【０００７】
本発明の別の態様は、無線装置である。この装置は、無線装置であって、通信処理を非実行である期間を計測する計測部と、計測部において計測した期間が一定期間に達したことを示した状態通知を管理装置に送信する送信部と、送信部が状態通知を送信した後、状態通知をもとに管理装置が複数の無線装置のそれぞれに対する優先順位を調整し、優先順位に応じた順番によって送信される本無線装置を更新させるための更新データを受信する受信部と、を備える。
【０００８】
本発明のさらに別の態様は、通信システムである。この通信システムは、複数の無線装置と、複数の無線装置のそれぞれを更新させるための更新データを管理する管理装置とを備える。管理装置は、複数の無線装置のそれぞれから、当該無線装置の状態に関する状態通知を受信すると、状態通知をもとに複数の無線装置のそれぞれに対する優先順位を調節し、優先順位に応じた順番によって複数の無線装置のそれぞれに更新データを送信する。
【０００９】
本発明のさらに別の態様もまた、通信システムである。この通信システムは、複数の無線装置と、複数の無線装置のそれぞれの通信状態を制御するトランキング装置と、複数の無線装置のそれぞれを更新させるための更新データを管理する管理装置とを備える。管理装置は、トランキング装置から、複数の無線装置のそれぞれの状態に関する状態通知を受信すると、状態通知をもとに複数の無線装置のそれぞれに対する優先順位を調節し、優先順位に応じた順番によって複数の無線装置のそれぞれに更新データをトランキング装置経由で送信する。
【００１０】
本発明のさらに別の態様は、管理方法である。この方法は、複数の無線装置のそれぞれから、当該無線装置の状態に関する状態通知を受信するステップと、受信した状態通知をもとに、複数の無線装置のそれぞれに対する優先順位を調節するステップと、調節した優先順位に応じた順番によって、複数の無線装置のそれぞれに対して、当該無線装置を更新させるための更新データを送信するステップと、を備える。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、無線装置の状態に応じて無線装置に対する更新処理を効率的に実行できる。
【図面の簡単な説明】
【００１３】
【図１】本発明の実施例１に係る通信システムの構成を示す図である。
【図２】図１の無線装置の構成を示す図である。
【図３】図２の記憶部に記憶されたテーブルのデータ構造を示す図である。
【図４】図２の状態送信部から送信される状態通知のフォーマットを示す図である。
【図５】図１の管理装置の構成を示す図である。
【図６】図５の記憶部に記憶されたテーブルのデータ構造を示す図である。
【図７】図５の記憶部に記憶された別のテーブルのデータ構造を示す図である。
【図８】図１の通信システムによるデータ書換手順を示すシーケンス図である。
【図９】図９（ａ）−（ｂ）は、図５の記憶部に記憶されたテーブルのデータ構造を示す図である。
【図１０】図５の管理装置による更新手順を示すフローチャートである。
【図１１】本発明の実施例２に係る通信システムによるデータ書換手順を示すシーケンス図である。
【図１２】本発明の実施例２に係る記憶部に記憶されたテーブルのデータ構造を示す図である。
【図１３】本発明の実施例３に係る通信システムによるデータ書換手順を示すシーケンス図である。
【図１４】本発明の実施例３に係る記憶部に記憶されたテーブルのデータ構造を示す図である。
【図１５】本発明の実施例４に係る通信システムによるデータ書換手順を示すシーケンス図である。
【図１６】図１６（ａ）−（ｂ）は、本発明の実施例４に係る記憶部に記憶されたテーブルのデータ構造を示す図である。
【図１７】本発明の実施例５に係る通信システムによるデータ書換手順を示すシーケンス図である。
【図１８】図１８（ａ）−（ｂ）は、本発明の実施例５に係る記憶部に記憶されたテーブルのデータ構造を示す図である。
【図１９】本発明の実施例６に係る通信システムによるデータ書換手順を示すシーケンス図である。
【図２０】本発明の実施例６に係る記憶部に記憶されたテーブルのデータ構造を示す図である。
【図２１】本発明の実施例７に係る通信システムによるデータ書換手順を示すシーケンス図である。
【図２２】本発明の実施例７に係る記憶部に記憶されたテーブルのデータ構造を示す図である。
【図２３】本発明の実施例８に係る通信システムによるデータ書換手順を示すシーケンス図である。
【図２４】本発明の実施例８に係る記憶部に記憶されたテーブルのデータ構造を示す図である。
【図２５】本発明の実施例９に係る通信システムの構成を示す図である。
【図２６】本発明の実施例９に係る記憶部に記憶されたテーブルのデータ構造を示す図である。
【図２７】本発明の実施例９に係る記憶部に記憶された別のテーブルのデータ構造を示す図である。
【図２８】図２５の通信システムによるデータ書換手順を示すシーケンス図である。
【図２９】図２９（ａ）−（ｃ）は、本発明の実施例９に係る記憶部に記憶されたテーブルのデータ構造を示す図である。
【発明を実施するための形態】
【００１４】
（実施例１）
本発明を具体的に説明する前に、まず概要を述べる。本発明の実施例１は、無線装置に記憶されたプログラム、データ等を無線回線経由で更新する通信システムに関する。無線回線として、例えば、業務用無線が使用される。業務用無線は、予め定められた無線ＣＨにおいて音声通信を実行する。音声通信の一例がＰＴＴ（Ｐｕｓｈ  ｔｏ  Ｔａｌｋ）である。ＰＴＴでは、ユーザが、会話中にボタンを押し、会話終了時にボタンを解放する。また、業務用無線では、複数の無線装置によってグループを形成することも可能である。業務用無線の基地局装置は、グループに対して、上りチャネルと下りチャネルを割り当てる。このような状況下において、グループ中の１つの無線装置が、上りチャネルにて信号を送信し、グループ中の他の無線装置が、下りチャネルにて信号を受信する。
【００１５】
無線装置には、使用可能な上りチャネルと下りチャネルの情報、登録サイトの情報、ＩＤ（Ｉｄｅｎｔｉｆｉｃａｔｉｏｎ）情報、その他の設定に関するさまざまな情報が書き込まれている。これらの情報は、設定データ、無線機データとも呼ばれ、無線装置毎に作成される。この無線機データを更新する場合、これまでは有線ケーブルを無線装置に接続してなされることが主流であった。しかしながら、Ｏｖｅｒ  Ｔｈｅ  Ａｉｒ  Ｐｒｏｇｒａｍｍｉｎｇ（ＯＴＡＰ）を使用することによって、無線回線を介した更新が可能になる。ＯＴＡＰを使用しながら複数の無線装置の無線機データを更新する場合、例えば、更新する順序は予め設定されている。しかしながら、更新する際に、対象となる無線装置が通信中である場合、当該無線装置は、更新すべき無線機データ（以下、更新すべき無線機データ、設定データを「更新データ」ということもあるが、これらを区別せずに使用することもある）の受信に失敗することがある。
【００１６】
ここで、無線回線は有線回線と比べて一般的に速度が遅いので、１つの無線装置に対する更新に数分要することもある。さらに、無線機データは各無線装置に固有であるので、無線装置毎に更新しなければならない。そこで、更新したい無線装置が通信中であったりすると、更新失敗が多発し、全ての無線装置の更新の時間が長くなってしまう。このような状況に対応するためには、前述のごとく、無線装置の状態に応じて無線装置に対する更新処理を効率的に実行する必要がある。例えば、電源オフによるスリープ状態への移行、電源オンによるスリープ状態からの復帰、充電が開始されたりといった無線装置の状態に応じて、更新対象となる無線装置のそれぞれに対する優先順位が動的に設定されることが好ましい。
【００１７】
本実施例における通信システムでは、無線装置は、無線回線を介して基地局装置に接続され、基地局装置は有線回線を介して管理装置に接続される。管理装置は、更新データの送信を制御する。無線装置は、更新データをこれから受信できる可能性が高い状態であること、更新データをこれから受信できない可能性が高いこと、更新データをこれから受信できない状態であることを管理装置に通知する。例えば、無線装置は、電源オフによるスリープ状態への移行あるいは充電開始の際に、通信をこれから実行しないので更新データを受信できる可能性が高いことを示す状態であることを通知する。また、通話による送信開始といった何かしらの無線機の操作中は、すぐには更新データを受信できる状態ではないことを通知する。管理装置は、各無線装置を識別するためのＩＤ（以下、「Ｕｎｉｔ  ＩＤ」という）と更新処理を実行する順序とを管理しており、無線装置からの通知を受信すると優先順位を調節して更新処理を実行する。ここで、データの更新は、データの書換ともいえる。なお、更新対象の無線装置には、間もなくデータ書換が開始することが管理装置から通知されてもよい。
【００１８】
図１は、本発明の実施例１に係る通信システム１００の構成を示す。通信システム１００は、無線装置１０と総称される第１無線装置１０ａ、第２無線装置１０ｂ、第３無線装置１０ｃ、基地局装置１２、ネットワーク１４、管理装置１６を含む。なお、通信システム１００に含まれる無線装置１０の数は「３」に限定されない。
【００１９】
無線装置１０は、業務用無線による通信を実行可能な装置である。業務用無線については公知の技術が使用されればよいので、ここでは説明を省略する。例えば、第１無線装置１０ａが業務用無線による音声通信の発信側に相当し、第２無線装置１０ｂが業務用無線による音声通信の受信側に相当する。
【００２０】
基地局装置１２は、業務用無線のシステムに対応した基地局装置である。基地局装置１２は、一端側において、業務用無線により無線装置１０に接続され、他端側において、ネットワーク１４に接続される。ネットワーク１４は、有線回線による通信を実行するためのネットワークであり、例えばＩＰ（Ｉｎｔｅｒｎｅｔ  Ｐｒｏｔｏｃｏｌ）ネットワークである。なお、ネットワーク１４には、基地局装置１２とは異なった別の基地局装置１２が接続されてもよい。管理装置１６は、ネットワーク１４に接続される。管理装置１６は、ネットワーク１４、基地局装置１２を介して無線装置１０と通信することも可能である。
【００２１】
管理装置１６は、複数の無線装置１０のそれぞれを更新させるための更新データを管理する。管理装置１６は、更新対象となる無線装置１０に対して、更新データが間もなく送信されることを知らせるための通知（以下、「データ書換通知」という）を送信する。無線装置１０は、データ書換通知を受信すると、当該無線装置１０の状態を示した通知（以下、「状態通知」という）を管理装置１６に送信する。なお、状態通知は、定期的に送信されてもよい。
【００２２】
管理装置１６は、複数の無線装置１０のそれぞれから状態通知を受信すると、状態通知をもとに複数の無線装置１０のそれぞれに対する優先順位を調節する。ここでは、優先順位が高い無線装置１０ほど、更新データを受信できる可能性が高いことを示す。管理装置１６は、優先順位に応じた順番によって、複数の無線装置１０のそれぞれに更新データを送信する。具体的に説明すると、管理装置１６は、優先順位の高い方の無線装置１０から順に更新データを送信する。管理装置１６からの更新データを受信した無線装置１０は、更新処理を実行する。
【００２３】
図２は、無線装置１０の構成を示す。無線装置１０は、通信部２０、受付部２２、状態管理部２４、記憶部２６、状態送信部２８、更新データ受信部３０、更新部３２を含む。通信部２０は、図示しない基地局装置１２との間で業務用無線による通信を実行する。例えば、通信部２０は、基地局装置１２を介して、他の無線装置１０との間で音声通信を実行する。さらに、通信部２０は、基地局装置１２、管理装置１６を介して、管理装置１６との間でデータ通信を実行する。ここでのデータ通信は、更新データを受信するまでの情報の送受信に相当する。
【００２４】
受付部２２は、通信部２０を介して管理装置１６からのデータ書換通知を受けつける。受付部２２は、データ書換通知を受けつけたことを状態管理部２４に知らせることによって、本無線装置１０は、データ待ち受け状態に遷移する。
【００２５】
状態管理部２４は、データ待ち受け状態に遷移すると動作を開始し、無線装置１０の状態を取得する。ここでは、例えば、電源オフによるスリープ状態への移行、充電開始といった無線装置１０をこれから使用しない状態を取得する。以降、スリープ状態への移行を電源オフと記載し、同様にスリープ状態からの復帰を電源オンと記載する。記憶部２６は、状態管理部２４において取得されうる複数の状態と、各状態を識別するための「状態識別Ｎｏ．」との対応関係をテーブルとして記憶する。図３は、記憶部２６に記憶されたテーブルのデータ構造を示す。図示のごとく、状態「充電開始」の「状態識別Ｎｏ．」が「０」と示され、状態「電源オフ」の「状態識別Ｎｏ．」が「２」と示される。図２に戻る。状態管理部２４は、記憶部２６を参照することによって、取得した状態に対応した「状態識別Ｎｏ．」を特定する。なお、状態管理部２４は、データ待ち受け状態ではない場合、「状態識別Ｎｏ．」を特定しない。このようなデータ待ち受け状態は、更新データの受信が終了するまで解除されない。
【００２６】
状態送信部２８は、状態管理部２４から、無線装置１０の状態を示した「状態識別Ｎｏ．」を入力する。状態送信部２８は、「状態識別Ｎｏ．」をもとに状態通知を生成する。状態通知は、更新データをこれから受信できる可能性が高い状態であること、更新データをこれから受信できない可能性が高い状態であること、更新データをこれから受信できない状態であることのいずれかを管理装置１６に通知するための情報である。図４は、状態送信部２８から送信される状態通知のフォーマットを示す。図示のごとく、状態通知には、「Ｕｎｉｔ  ＩＤ」と「状態識別Ｎｏ．」とが含まれる。前述ごとく、「状態識別Ｎｏ．」は状態毎に値が定義されている。状態送信部２８は、通信部２０を介して、状態通知を管理装置１６に送信する。
【００２７】
更新データ受信部３０は、状態送信部２８が状態通知を送信した後、管理装置１６から、本無線装置１０を更新させるための更新データを受信する。なお、詳細は後述するが、管理装置１６では、状態通知をもとに、複数の無線装置１０のそれぞれに対する優先順位が調節され、優先順位に応じた順番によって、更新データが送信される。ここで、更新データは複数に分割されていてもよい。その際、更新データ受信部３０は、複数に分割された更新データを結合する。更新データ受信部３０は、更新データを更新部３２に出力する。
【００２８】
更新部３２は、更新データ受信部３０からの更新データを入力する。更新部３２は、更新データによって、無線装置１０に記憶されたプログラムあるいはデータを更新する。このような更新には公知の技術が使用されればよいので、ここでは説明を省略する。更新データ受信部３０における更新データの受信、あるいは更新部３２における更新が終了した場合、無線装置１０は、データ待ち受け状態を解除する。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
図５は、管理装置１６の構成を示す。管理装置１６は、通知部５０、通信部５２、状態通知受信部５４、調節部５６、記憶部５８、更新データ送信部６０を含む。通知部５０は、更新対象となる無線装置１０に対するデータ書換通知を通信部５２に出力する。データ書換通知は、更新データの書換対象であることを通知するための情報である。データ書換通知の出力によって、更新対象の無線装置１０には、管理装置１６から更新データが間もなく送信されることが知らされる。
【００３１】
通信部５２は、図示しないネットワーク１４に接続される。また、通信部５２は、ネットワーク１４を介して基地局装置１２、無線装置１０にも接続されて、無線装置１０との通信を実行する。通信部５２は、通知部５０からデータ書換通知を入力すると、更新対象となる無線装置１０にデータ書換通知を送信する。
【００３２】
状態通知受信部５４は、通信部５２を介して、複数の無線装置１０のそれぞれから状態通知を受信する。前述のごとく、状態通知は、無線装置１０の状態に関する情報である。ここで、状態通知受信部５４は、通知部５０がデータ書換通知を送信した無線装置１０からの状態通知を受信する。状態通知受信部５４は、受信した状態通知を調節部５６に出力する。
【００３３】
調節部５６は、状態通知受信部５４からの状態通知を入力する。調節部５６は、状態通知から、「Ｕｎｉｔ＿ＩＤ」と「状態識別Ｎｏ．」を取得する。ここで、記憶部５８は、更新対象となる無線装置１０となる「Ｕｎｉｔ＿ＩＤ」のリストを記憶する。図６は、記憶部５８に記憶されたテーブルのデータ構造を示す。図示のごとく、「データ書換順序」、「Ｕｎｉｔ＿ＩＤ」、「優先度重み」が示される。「データ書換順序」は、更新データを送信すべき無線装置１０の順番を示し、前述の優先順位に相当する。また、「優先度重み」は、優先度重み値を示しており、「Ｕｎｉｔ＿ＩＤ」毎に設定されている。図６では、優先度重み値の初期値として「１００」が設定されている。図５に戻る。
【００３４】
また、記憶部５８は、「状態識別Ｎｏ．」によって示された状態と、優先度重み付け値との対応関係も記憶する。図７は、記憶部５８に記憶された別のテーブルのデータ構造を示す。図示のごとく、優先度重み付け値と状態とが示される。優先度重み付け値「＋１０」は、状態「充電開始」に対して設定される。これは、電源が確保され、かつ無線装置１０が使用されない状態であるので、最も優先度を高くすることができる。優先度重み付け値「＋５」は、状態「電源オフ」に対して設定される。これは、ユーザが、通信等の操作を終了し、電源オフすると、無線装置１０の図示しない表示部であるＬＣＤ（Ｌｉｑｕｉｄ  Ｃｒｙｓｔａｌ  Ｄｉｓｐｌａｙ）もオフとなり、無線装置１０を使用していない状態であるので、この状態も優先度を高くすることができる。このように、状態「電源オフ」よりも状態「充電開始」の方が優先度重み付け値は高い。また、優先度重み付け値「＋５」は、状態「データ書換リクエスト」に対して設定される。これは、ユーザが書換を志願する場合である。
【００３５】
優先度重み付け値「＋３」は、状態「動作監視タイマ満了」に対して設定される。これは、一定期間にわたって無線装置１０の操作がなかった場合である。また、優先度重み付け値「＋３」は、状態「Ｓｃａｎ開始(対象にデータ受信できるＣＨあり)」に対して設定される。これは、受信待ちと判定されるので、優先度を高くすることは可能である。なお、「Ｓｃａｎ」機能とは、無線装置１０が、他の無線装置１０や管理装置１６から呼び出されているかを検索する機能である。優先度重み値を「初期値に戻す」ことは、状態「データ受信できるＣＨに変更」、「Ｓｃａｎ終了」、「電源オン」、「充電終了」に対して設定される。
【００３６】
優先度重み付け値「−３」は、状態「電界強度が低い」に対して設定される。これは、ＲＳＳＩ（Ｒｅｃｅｉｖｅｄ  Ｓｉｇｎａｌ  Ｓｔｒｅｎｇｔｈ  Ｉｎｄｉｃａｔｏｒ）値が、例えば−１１０ｄＢｍ以下の場合に相当する。このような場合においては、信号を受信できなくなる可能性が高くなる。優先度重み付け値「−５」は、状態「送信開始」である。これから通話する無線装置１０はデータ書換できないからである。また、優先度重み付け値「−５」は、状態「加速度センサ検出」に対して設定される。これは、移動中の無線装置１０はデータ書換できない可能性が高いからである。優先度重み付け値「−１０」は、状態「データ受信できないＣＨに変更」に対して設定される。また、優先度重み付け値「−１０」は、状態「Ｓｃａｎ開始(対象にデータ受信可能なＣＨなし)」に対して設定される。これらは、受信不可の状態であるからである。図５に戻る。
【００３７】
調節部５６は、取得した「状態識別Ｎｏ．」をもとに、図７に示す記憶部５８に記憶された「状態に対応した優先度重み付け値」のテーブルを参照することによって、状態に対応した優先度重み付け値を導出する。また、調節部５６は、導出した優先度重み付け値にしたがって、図６に示す記憶部５８に記憶された「Ｕｎｉｔ＿ＩＤ」毎の優先度重み値を更新する。つまり、優先度重み付け値が優先度重み値に加算される。
【００３８】
調節部５６は、更新された優先度重み値をもとに、図６に示したテーブルにおけるデータ書換順序を変更する。具体的に説明すると、優先度重み値が大きい「Ｕｎｉｔ＿ＩＤ」ほど、データ書換順序が上げられる。なお、データ書換順序が上げられることは、図６に示したテーブルにおけるデータ書換順序が小さい値にされることに相当する。つまり、調節部５６は、状態通知受信部５４において受信した状態通知をもとに、複数の無線装置１０のそれぞれに対する優先順位を調節する。また、調節部５６は、状態通知の内容に応じて、優先順位を調節する際の優先度重み付け値を変更する。
【００３９】
このように、更新データを受信できる可能性が高い状態を通知された場合は、優先度重み値が高くなってデータ書換順序が上げられる。一方、更新データを受信できない可能性が高い、もしくは更新データを受信できない状態を通知された場合は、優先度重み値が低くなってデータ書換順序が下げられる。調節部５６は、調節した「データ書換順序」と「Ｕｎｉｔ＿ＩＤ」との組合せを更新データ送信部６０に通知する。
【００４０】
更新データ送信部６０は、各無線装置１０に対する更新データを記憶する。更新データ送信部６０は、調節部５６からの通知を受けつける。更新データ送信部６０は、通知に含まれたデータ書換順序が「１」である「Ｕｎｉｔ＿ＩＤ」を特定する。更新データ送信部６０は、特定した「Ｕｎｉｔ＿ＩＤ」に対応した更新データを取得する。更新データ送信部６０は、特定した「Ｕｎｉｔ＿ＩＤ」に対応した無線装置１０に通信部５２を介して、取得した更新データを送信する。更新データを送信した後、更新データ送信部６０は、データ書換順序を「２」、「３」、・・・と変えながら、前述の処理を繰り返し実行する。つまり、通知部５０は、データ書換順序にしたがって、更新データを送信する。
【００４１】
以上の構成による通信システム１００の動作を説明する。図８は、通信システム１００によるデータ書換手順を示すシーケンス図である。管理装置１６は、第３無線装置１０ｃにデータ書換通知を送信し（Ｓ１０）、第２無線装置１０ｂにデータ書換通知を送信し（Ｓ１２）、第１無線装置１０ａにデータ書換通知を送信する（Ｓ１４）。なお、これらへのデータ書換通知は報知されてもよい。第１無線装置１０ａから第３無線装置１０ｃは、データ待ち受け状態に遷移する。第２無線装置１０ｂは、電源オフになる（Ｓ１６）とともに、管理装置１６に状態通知を送信する（Ｓ１８）。管理装置１６は、状態通知をもとに順序を変更する（Ｓ２０）。図９（ａ）−（ｂ）は、記憶部５８に記憶されたテーブルのデータ構造を示す。図９（ａ）は、変更されたデータ書換順序を示す。図示のごとく、第２無線装置１０ｂの優先度重み値が「１０５」にされ、そのデータ書換順序が「１」にされる。図９（ｂ）については後述し、図８に戻る。
【００４２】
第３無線装置１０ｃは、充電開始する（Ｓ２２）とともに、管理装置１６に状態通知を送信する（Ｓ２４）。管理装置１６は、状態通知をもとに順序を変更する（Ｓ２６）。図９（ｂ）は、変更されたデータ書換順序を示す。図示のごとく、第３無線装置１０ｃの優先度重み値が「１１０」にされ、そのデータ書換順序が「１」にされる。図８に戻る。管理装置１６は、データ書換、つまり更新を開始する（Ｓ２８）。
【００４３】
管理装置１６は、更新データである無線機データを第３無線装置１０ｃに送信する（Ｓ３０、Ｓ３２、Ｓ３４）。第３無線装置１０ｃは、管理装置１６に受信終了を通知する（Ｓ３６）とともに、データ待ち受け状態を解除する。管理装置１６は、更新データである無線機データを第２無線装置１０ｂに送信する（Ｓ３８、Ｓ４０、Ｓ４２）。第２無線装置１０ｂは、管理装置１６に受信終了を通知する（Ｓ４４）とともに、データ待ち受け状態を解除する。管理装置１６は、更新データである無線機データを第１無線装置１０ａに送信する（Ｓ４６、Ｓ４８、Ｓ５０）。第１無線装置１０ａは、管理装置１６に受信終了を通知する（Ｓ５２）とともに、データ待ち受け状態を解除する。管理装置１６は、データ書換を終了する（Ｓ５４）。
【００４４】
図１０は、管理装置１６による更新手順を示すフローチャートである。状態通知受信部５４が状態通知を受信し（Ｓ７０のＹ）、「Ｕｎｉｔ  ＩＤ」がテーブルに存在する場合（Ｓ７２のＹ）、調節部５６は、「状態識別Ｎｏ．」に対応する優先度重み付け値を優先度重み値に加算、減算する（Ｓ７４）。調節部５６は、データ書換順序を優先度重み値順に入れ替える（Ｓ７６）。状態通知受信部５４が状態通知を受信しない場合（Ｓ７０のＮ）、あるいは「Ｕｎｉｔ  ＩＤ」がテーブルに存在しない場合（Ｓ７２のＮ）、処理は終了される。
【００４５】
本実施例によれば、更新データを受信できる可能性が高い無線装置から優先的にデータ書換を実行するので、データ書換失敗を抑制できる。また、無線装置の電源オフ、充電開始、といった無線装置をこれから使用しない状態を管理装置に通知するので、無線装置をこれから使用しない状態を管理装置に認識させることができる。また、電源オフはスリープ状態であり、表示をオフして待ち受ける状態であるので、その後暫く未使用となりうる状況を知らせることができる。また、充電状態は電源が十分にあり、かつ充電完了するまで使用しない状況を知らせることができる。また、未使用となった無線装置は、確実にデータ受信を行える可能性が高く、優先的にデータの更新を行うことができる。また、無線装置の状態に応じて無線装置に対する更新処理を効率的に実行できる。また、データ書換が間もなく行われることを予め通知するので、無線装置が状態通知を常に送信することを防止できる。
【００４６】
（実施例２）
次に、実施例２を説明する。本発明の実施例２も、実施例１と同様に、無線装置に記憶されたプログラム、データ等を無線回線経由で更新する通信システムに関する。また、実施例２においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例２では、無線装置が、一定時間未使用である際に、これから通信を実行しないので更新データを受信できる可能性が高いことを示す状態であることを通知する。実施例２に係る通信システム、無線装置、管理装置は、図１、図２、図５と同様のタイプである。ここでは、これまでとの差異を中心に説明する。
【００４７】
図２の状態管理部２４は、無線装置１０の状態を取得する。ここでは、例えば、データ待ち受け状態に遷移するとタイマを起動する。状態管理部２４は、タイマが起動してからタイマが満了するまでに無線装置１０は何かしらの操作も行われなかった場合、無線装置１０を使用していない状態であると判定する。これは、通信処理を非実行である期間を計測することに相当し、状態管理部２４は計測部ともいえる。なお、状態管理部２４は、タイマが起動してからタイマが満了するまでに無線装置１０が動作した場合、タイマをリセットして再起動させる。状態管理部２４は、記憶部２６を参照することによって、取得した状態に対応した「状態識別Ｎｏ．」を特定する。ここでは、例えば、状態「動作監視タイマ満了」に対応した「状態識別Ｎｏ．」が特定される。
【００４８】
状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。これは、状態送信部２８が、状態管理部２４において計測した期間が一定期間に達したことを示した状態通知を管理装置１６に送信することに相当する。
【００４９】
以上の構成による通信システム１００の動作を説明する。図１１は、本発明の実施例２に係る通信システム１００によるデータ書換手順を示すシーケンス図である。管理装置１６は、第３無線装置１０ｃにデータ書換通知を送信し（Ｓ１００）、第２無線装置１０ｂにデータ書換通知を送信し（Ｓ１０２）、第１無線装置１０ａにデータ書換通知を送信する（Ｓ１０４）。第１無線装置１０ａから第３無線装置１０ｃは、データ待ち受け状態に遷移する。第１無線装置１０ａ、第２無線装置１０ｂ、第３無線装置１０ｃは、タイマを起動する（Ｓ１０６、Ｓ１０８、Ｓ１１０）。第１無線装置１０ａと第２無線装置１０ｂとの間で通話が開始される（Ｓ１１２）。第３無線装置１０ｃは、タイマを満了する（Ｓ１１４）。
【００５０】
第１無線装置１０ａと第２無線装置１０ｂとの間で通話が終了される（Ｓ１１６）。第１無線装置１０ａ、第２無線装置１０ｂは、タイマを再起動する（Ｓ１１８、Ｓ１２０）。第３無線装置１０ｃは、管理装置１６に状態通知を送信する（Ｓ１２２）。管理装置１６は、状態通知をもとに順序を変更する（Ｓ１２４）。図１２は、本発明の実施例２に係る記憶部５８に記憶されたテーブルのデータ構造を示す。図示のごとく、第３無線装置１０ｃの優先度重み値が「１０３」にされ、そのデータ書換順序が「１」にされる。図１１に戻る。管理装置１６は、データ書換、つまり更新を開始する（Ｓ１２６）。
【００５１】
管理装置１６は、更新データである無線機データを第３無線装置１０ｃに送信する（Ｓ１２８、Ｓ１３０、Ｓ１３２）。第３無線装置１０ｃは、管理装置１６に受信終了を通知する（Ｓ１３４）とともに、データ待ち受け状態を解除する。管理装置１６は、更新データである無線機データを第１無線装置１０ａに送信する（Ｓ１３６、Ｓ１３８、Ｓ１４０）。第１無線装置１０ａは、管理装置１６に受信終了を通知する（Ｓ１４２）とともに、データ待ち受け状態を解除する。管理装置１６は、更新データである無線機データを第２無線装置１０ｂに送信する（Ｓ１４４、Ｓ１４６、Ｓ１４８）。第２無線装置１０ｂは、管理装置１６に受信終了を通知する（Ｓ１５０）とともに、データ待ち受け状態を解除する。管理装置１６は、データ書換を終了する（Ｓ１５２）。
【００５２】
本実施例によれば、一定期間にわたって無線装置が動作していないことをシステムに通知するので、その後も暫くの間未使用で、かつデータ受信を行える状態が継続する可能性が比較的高い無線装置から、優先的にデータを更新できる。また、無線装置のユーザは、特別な操作を必要とせず、無線装置の操作がなければ自動的に管理装置に通知するので、ユーザの利便性を向上できる。また、長時間の使用(電源オフや充電を伴わない運用)であっても、無線装置の状態を通知できる。
【００５３】
（実施例３）
次に、実施例３を説明する。本発明の実施例３も、これまでと同様に、無線装置に記憶されたプログラム、データ等を無線回線経由で更新する通信システムに関する。また、実施例３においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例３では、無線装置が、音声やデータの送信開始の際に、更新データを受信できない可能性が高い状態であることを通知する。実施例３に係る通信システム、無線装置、管理装置は、図１、図２、図５と同様のタイプである。ここでは、これまでとの差異を中心に説明する。
【００５４】
図２の状態管理部２４は、無線装置１０の状態を取得する。具体的に説明すると、データ待ち受け状態の無線装置１０において、音声送信やデータ送信等の送信が開始される場合、状態管理部２４は、無線装置１０を使用する状態を取得する。状態管理部２４は、記憶部２６を参照することによって、取得した状態に対応した「状態識別Ｎｏ．」を特定する。ここでは、例えば、状態「送信開始」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。状態送信部２８が状態通知を送信した後、通信部２０は、音声送信やデータ送信等の送信を実行する。
【００５５】
以上の構成による通信システム１００の動作を説明する。図１３は、本発明の実施例３に係る通信システム１００によるデータ書換手順を示すシーケンス図である。管理装置１６は、第３無線装置１０ｃにデータ書換通知を送信し（Ｓ２００）、第２無線装置１０ｂにデータ書換通知を送信し（Ｓ２０２）、第１無線装置１０ａにデータ書換通知を送信する（Ｓ２０４）。第１無線装置１０ａから第３無線装置１０ｃは、データ待ち受け状態に遷移する。第１無線装置１０ａは送信を開始する（Ｓ２０６）とともに、管理装置１６に状態通知を送信する（Ｓ２０８）。管理装置１６は、状態通知をもとに順序を変更する（Ｓ２１０）。図１４は、本発明の実施例３に係る記憶部５８に記憶されたテーブルのデータ構造を示す。図示のごとく、第１無線装置１０ａの優先度重み値が「９７」にされ、そのデータ書換順序が「３」にされる。図１３に戻る。管理装置１６は、データ書換、つまり更新を開始する（Ｓ２１２）。
【００５６】
管理装置１６は、更新データである無線機データを第３無線装置１０ｃに送信する（Ｓ２１４、Ｓ２１６、Ｓ２１８）。第３無線装置１０ｃは、管理装置１６に受信終了を通知する（Ｓ２２０）とともに、データ待ち受け状態を解除する。管理装置１６は、更新データである無線機データを第２無線装置１０ｂに送信する（Ｓ２２２、Ｓ２２４、Ｓ２２６）。第２無線装置１０ｂは、管理装置１６に受信終了を通知する（Ｓ２２８）とともに、データ待ち受け状態を解除する。管理装置１６は、更新データである無線機データを第１無線装置１０ａに送信する（Ｓ２３０、Ｓ２３２、Ｓ２３４）。第１無線装置１０ａは、管理装置１６に受信終了を通知する（Ｓ２３６）とともに、データ待ち受け状態を解除する。管理装置１６は、データ書換を終了する（Ｓ２３８）。
【００５７】
第１無線装置１０ａが、送信継続中である場合には、無線機データ（Ｓ２３０、Ｓ２３２、Ｓ２３４）は受信できないので、管理装置１６は、無線機データ（Ｓ２３０、Ｓ２３２、Ｓ２３４）を送信しなくてもよい。Ｓ２０８を状態通知としているが、送信状態であることそのものが状態通知としてもよい。管理装置１６は、第１無線装置１０ａが送信終了（Ｓ２０７）となり送信状態であることが解除されていることが、確認されてから無線機データ（Ｓ２３０、Ｓ２３２、Ｓ２３４）を送信してもよい。
【００５８】
本実施例によれば、音声やデータの送信が行われていることをシステムに通知することで、その後も暫くの間、その無線装置は使用されるので、データ書換を行えない状態が継続する可能性が比較的高いことを知らせることができる。また、無線装置のデータ書換順序を下げてデータを更新するので、他の現在使用されていない無線装置からデータ書換を開始できる。また、通話の頻度が高いほど、データ書換順序の更新頻度が上がり、データ書換の優先度は下がるので、より実利用状況に即した効率的なデータ書換順序を得ることができる。
【００５９】
（実施例４）
次に、実施例４を説明する。本発明の実施例４も、これまでと同様に、無線装置に記憶されたプログラム、データ等を無線回線経由で更新する通信システムに関する。また、実施例４においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例４では、無線装置がＳｃａｎモードに突入した場合に、無線装置はこれから受信待ちになるので、更新データを受信できる可能性が高い状態であることを通知する。実施例４に係る通信システム、無線装置、管理装置は、図１、図２、図５と同様のタイプである。ここでは、これまでとの差異を中心に説明する。
【００６０】
図２の状態管理部２４は、無線装置１０の状態を取得する。具体的に説明すると、データ待ち受け状態の無線装置１０がＳｃａｎ  Ｍｏｄｅを開始する場合、状態管理部２４は、無線装置１０の状態を取得する。ここで、Ｓｃａｎ対象に更新データを受信可能なチャネルが含まれている場合と、Ｓｃａｎ対象に更新データを受信可能なチャネルが含まれていない場合で通知する状態は異なる。
【００６１】
状態管理部２４は、記憶部２６を参照することによって、取得した状態に対応した「状態識別Ｎｏ．」を特定する。ここでは、例えば、Ｓｃａｎ対象に更新データを受信可能なチャネルが含まれている場合に、状態「Ｓｃａｎ開始（Ｄａｔａ受信可）」に対応した「状態識別Ｎｏ．」が特定される。また、Ｓｃａｎ対象に更新データを受信可能なチャネルが含まれていない場合に、状態「Ｓｃａｎ開始（Ｄａｔａ受信不可）」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。
【００６２】
図５の調節部５６は、取得した「状態識別Ｎｏ．」をもとに、記憶部５８に記憶された別のテーブルであって、かつ図７に示した別のテーブルを参照することによって、状態に対応した優先度重み付け値を導出する。ここでは、状態「Ｓｃａｎ開始（Ｄａｔａ受信可）」である場合に、優先度重み付け値「＋３」が導出され、状態「Ｓｃａｎ開始（Ｄａｔａ受信不可）」である場合に、優先度重み付け値「−１０」が導出される。また、調節部５６は、導出した優先度重み付け値にしたがって、記憶部５８に記憶されたテーブルであって、かつ図６に示したテーブルにおける「Ｕｎｉｔ＿ＩＤ」の優先度重み値を更新する。そのため、Ｓｃａｎ対象に更新データを受信可能なチャネルが含まれている場合はデータ書換順序が上がり、Ｓｃａｎ対象に更新データを受信可能なチャネルが含まれていない場合はデータ書換順序が下がる。
【００６３】
以上の構成による通信システム１００の動作を説明する。図１５は、本発明の実施例４に係る通信システム１００によるデータ書換手順を示すシーケンス図である。管理装置１６は、第３無線装置１０ｃにデータ書換通知を送信し（Ｓ３００）、第２無線装置１０ｂにデータ書換通知を送信し（Ｓ３０２）、第１無線装置１０ａにデータ書換通知を送信する（Ｓ３０４）。第１無線装置１０ａから第３無線装置１０ｃは、データ待ち受け状態に遷移する。第３無線装置１０ｃは、データ書換ＣＨをＳｃａｎ対象とするＳｃａｎ  Ｍｏｄｅを開始する（Ｓ３０６）とともに、管理装置１６に状態通知を送信する（Ｓ３０８）。管理装置１６は、状態通知をもとに順序を変更する（Ｓ３１０）。図１６（ａ）−（ｂ）は、本発明の実施例４に係る記憶部５８に記憶されたテーブルのデータ構造を示す。図１６（ａ）は、変更されたデータ書換順序を示す。図示のごとく、第３無線装置１０ｃの優先度重み値が「１０３」にされ、そのデータ書換順序が「１」にされる。図１６（ｂ）については後述し、図１５に戻る。
【００６４】
第１無線装置１０ａでは、データ書換ＣＨをＳｃａｎ対象としないＳｃａｎ  Ｍｏｄｅを開始の操作がなされる（Ｓ３１２）とともに、管理装置１６に状態通知を送信する（Ｓ３１４）。第１無線装置１０ａは、データ書換ＣＨをＳｃａｎ対象としないＳｃａｎ  Ｍｏｄｅの動作を開始する（Ｓ３１５）。管理装置１６は、状態通知をもとに順序を変更する（Ｓ３１６）。図１６（ｂ）は、変更されたデータ書換順序を示す。図示のごとく、第１無線装置１０ａの優先度重み値が「９０」にされ、そのデータ書換順序が「３」にされる。図１５に戻る。管理装置１６は、データ書換、つまり更新を開始する（Ｓ３１８）。
【００６５】
管理装置１６は、更新データである無線機データを第３無線装置１０ｃに送信する（Ｓ３２０、Ｓ３２２、Ｓ３２４）。第３無線装置１０ｃは、管理装置１６に受信終了を通知する（Ｓ３２６）とともに、データ待ち受け状態を解除する。管理装置１６は、更新データである無線機データを第２無線装置１０ｂに送信する（Ｓ３２８、Ｓ３３０、Ｓ３３２）。第２無線装置１０ｂは、管理装置１６に受信終了を通知する（Ｓ３３４）とともに、データ待ち受け状態を解除する。管理装置１６は、更新データである無線機データを第１無線装置１０ａに送信する（Ｓ３３６、Ｓ３３８、Ｓ３４０）。第１無線装置１０ａは、管理装置１６に受信終了を通知する（Ｓ３４２）とともに、データ待ち受け状態を解除する。管理装置１６は、データ書換を終了する（Ｓ３４４）。
【００６６】
本実施例によれば、Ｓｃａｎが開始されたことを管理装置に通知するので、暫くの間、受信を待つことを予測できる。また、データ書換を行うチャネルがＳｃａｎ対象であれば、データ書換を受信できる可能性が比較的高いことを知らせることができる。また、データ書換を行うチャネルがＳｃａｎ非対象の場合、Ｓｃａｎ対象が、状態通知が可能なチャネルであるとはかぎらないため、操作後Ｓｃａｎ開始前に状態通知を送信することにより、Ｓｃａｎ開始後はデータ書換を受信できないことを知らせることができる。また、無線装置が受信を待っている場合も考慮してデータ書換順序を更新することが可能になるので、より多くのケースに対応できる。
【００６７】
（実施例５）
次に、実施例５を説明する。本発明の実施例５も、これまでと同様に、無線装置に記憶されたプログラム、データ等を無線回線経由で更新する通信システムに関する。また、実施例５においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例５では、無線装置が、更新データを受信できないチャネルに変更する場合に、更新データをこれから受信できない状態であることを通知する。実施例５に係る通信システム、無線装置、管理装置は、図１、図２、図５と同様のタイプである。ここでは、これまでとの差異を中心に説明する。
【００６８】
図２の状態管理部２４は、無線装置１０の状態を取得する。具体的に説明すると、データ待ち受け状態の無線装置１０がチャネルを変更する場合、状態管理部２４は、無線装置１０の状態を取得する。ここで、システムに状態通知を送信する。ただし、チャネルの設定が更新データを受信可能か否かによって通知する状態は異なる。
【００６９】
状態管理部２４は、記憶部２６を参照することによって、取得した状態に対応した「状態識別Ｎｏ．」を特定する。ここでは、例えば、更新データを受信可能なチャネルに変更する場合に、状態「ＣＨ変更（Ｄａｔａ受信可）」に対応した「状態識別Ｎｏ．」が特定される。また、更新データを受信可能でないチャネルに変更する場合に、状態「ＣＨ変更（Ｄａｔａ受信不可）」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。なお、Ｓｃａｎ  Ｍｏｄｅ中は状態通知は送信されない。
【００７０】
図５の調節部５６は、取得した「状態識別Ｎｏ．」をもとに、記憶部５８に記憶された別のテーブルであって、かつ図７に示した別のテーブルを参照することによって、状態に対応した優先度重み付け値を導出する。ここでは、状態「ＣＨ変更（Ｄａｔａ受信可）」である場合に、優先度重み値が初期値に戻され、状態「ＣＨ変更（Ｄａｔａ受信不可）」である場合に、優先度重み付け値「−１０」が導出される。また、調節部５６は、導出した優先度重み付け値にしたがって、記憶部５８に記憶されたテーブルであって、かつ図６に示したテーブルにおける「Ｕｎｉｔ＿ＩＤ」の優先度重み値を更新する。そのため、更新データを受信可能なチャネルに変更する場合はデータ書換順序が初期値に戻り、更新データを受信可能でないチャネルに変更する場合はデータ書換順序が下がる。
【００７１】
以上の構成による通信システム１００の動作を説明する。図１７は、本発明の実施例５に係る通信システム１００によるデータ書換手順を示すシーケンス図である。管理装置１６は、第３無線装置１０ｃにデータ書換通知を送信し（Ｓ４００）、第２無線装置１０ｂにデータ書換通知を送信し（Ｓ４０２）、第１無線装置１０ａにデータ書換通知を送信する（Ｓ４０４）。第１無線装置１０ａから第３無線装置１０ｃは、データ待ち受け状態に遷移する。第１無線装置１０ａでは、Ｄａｔａ受信ＣＨ以外へＣＨ変更の操作がなされる（Ｓ４０５）とともに、管理装置１６に状態通知を送信する（Ｓ４０６）。第１無線装置１０ａは、Ｄａｔａ受信ＣＨ以外へＣＨを変更する（Ｓ４０８）。管理装置１６は、状態通知をもとに順序を変更する（Ｓ４１０）。図１８（ａ）−（ｂ）は、本発明の実施例５に係る記憶部５８に記憶されたテーブルのデータ構造を示す。図１８（ａ）は、変更されたデータ書換順序を示す。図示のごとく、第１無線装置１０ａの優先度重み値が「９０」にされ、そのデータ書換順序が「３」にされる。図１８（ｂ）については後述し、図１７に戻る。
【００７２】
第１無線装置１０ａは、Ｄａｔａ受信ＣＨにＣＨを変更し（Ｓ４１２）、管理装置１６に状態通知を送信する（Ｓ４１４）。管理装置１６は、状態通知をもとに順序を変更する（Ｓ４１６）。図１８（ｂ）は、変更されたデータ書換順序を示す。図示のごとく、第１無線装置１０ａの優先度重み値が「１００」に戻される。図１７に戻る。管理装置１６は、データ書換、つまり更新を開始する（Ｓ４１８）。
【００７３】
管理装置１６は、更新データである無線機データを第３無線装置１０ｃに送信する（Ｓ４２０、Ｓ４２２、Ｓ４２４）。第３無線装置１０ｃは、管理装置１６に受信終了を通知する（Ｓ４２６）とともに、データ待ち受け状態を解除する。管理装置１６は、更新データである無線機データを第２無線装置１０ｂに送信する（Ｓ４２８、Ｓ４３０、Ｓ４３２）。第２無線装置１０ｂは、管理装置１６に受信終了を通知する（Ｓ４３４）とともに、データ待ち受け状態を解除する。管理装置１６は、更新データである無線機データを第１無線装置１０ａに送信する（Ｓ４３６、Ｓ４３８、Ｓ４４０）。第１無線装置１０ａは、管理装置１６に受信終了を通知する（Ｓ４４２）とともに、データ待ち受け状態を解除する。管理装置１６は、データ書換を終了する（Ｓ４４４）。
【００７４】
本実施例によれば、チャネルが変更されたこと、またはされることを管理装置に通知するので、その無線装置が更新データを受信することが可能か不可能かを判定できる。また、更新データを受信できないチャネルに変更された場合、更新データを受信可能なチャネルに変更されるまで更新データを受信することはできないことを知らせることができる。実施例４と同様であるが、更新データを受信するチャネル以外のチャネルが、状態通知が可能であるとは限らないため、更新データを受信できないチャネルに変更される操作後、更新データを受信できないチャネルに変更が実行される前に、状態通知をする。また、更新データ受信できなくなってしまう場合は、無線装置が使用されている場合以上にデータ書換順序を下げることによって、さらにデータ書換の効率を向上できる。
【００７５】
（実施例６）
次に、実施例６を説明する。本発明の実施例６も、これまでと同様に、無線装置に記憶されたプログラム、データ等を無線回線経由で更新する通信システムに関する。また、実施例６においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例６では、無線装置のユーザが自らの操作で、無線装置を使用しないので更新データを受信できる可能性が高い状態であること、あるいは無線装置を使用するので更新データを受信できない可能性が高い状態であることを通知する。実施例６に係る通信システム、無線装置、管理装置は、図１、図２、図５と同様のタイプである。ここでは、これまでとの差異を中心に説明する。
【００７６】
図２の状態管理部２４は、無線装置１０の状態を取得する。具体的に説明すると、データ待ち受け状態の無線装置１０において、ユーザからの指示によって、更新データのリクエストが入力された場合、状態管理部２４は、無線装置１０を使用しない状態を取得する。状態管理部２４は、記憶部２６を参照することによって、取得した状態に対応した「状態識別Ｎｏ．」を特定する。ここでは、例えば、状態「データ書換リクエスト」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。
【００７７】
以上の構成による通信システム１００の動作を説明する。図１９は、本発明の実施例６に係る通信システム１００によるデータ書換手順を示すシーケンス図である。管理装置１６は、第３無線装置１０ｃにデータ書換通知を送信し（Ｓ５００）、第２無線装置１０ｂにデータ書換通知を送信し（Ｓ５０２）、第１無線装置１０ａにデータ書換通知を送信する（Ｓ５０４）。第１無線装置１０ａから第３無線装置１０ｃは、データ待ち受け状態に遷移する。第３無線装置１０ｃはデータ書換リクエストを受けつける（Ｓ５０６）とともに、管理装置１６に状態通知を送信する（Ｓ５０８）。管理装置１６は、状態通知をもとに順序を変更する（Ｓ５１０）。図２０は、本発明の実施例６に係る記憶部５８に記憶されたテーブルのデータ構造を示す。図示のごとく、第３無線装置１０ｃの優先度重み値が「１０５」にされ、そのデータ書換順序が「１」にされる。図１９に戻る。管理装置１６は、データ書換、つまり更新を開始する（Ｓ５１２）。
【００７８】
管理装置１６は、更新データである無線機データを第３無線装置１０ｃに送信する（Ｓ５１４、Ｓ５１６、Ｓ５１８）。第３無線装置１０ｃは、管理装置１６に受信終了を通知する（Ｓ５２０）とともに、データ待ち受け状態を解除する。管理装置１６は、更新データである無線機データを第２無線装置１０ｂに送信する（Ｓ５２２、Ｓ５２４、Ｓ５２６）。第２無線装置１０ｂは、管理装置１６に受信終了を通知する（Ｓ５２８）とともに、データ待ち受け状態を解除する。管理装置１６は、更新データである無線機データを第１無線装置１０ａに送信する（Ｓ５３０、Ｓ５３２、Ｓ５３４）。第１無線装置１０ａは、管理装置１６に受信終了を通知する（Ｓ５３６）とともに、データ待ち受け状態を解除する。管理装置１６は、データ書換を終了する（Ｓ５３８）。
【００７９】
本実施例によれば、無線装置をこれから使用せず、データ書換が可能であることを、ユーザが能動的に管理装置に通知するので、データ書換順序を向上できる。また、無線装置をこれから使用せず、データ書換が可能であることを、ユーザが能動的に管理装置に通知するので、データ書換順序の変更に関する精度を向上できる。
【００８０】
（実施例７）
次に、実施例７を説明する。本発明の実施例７も、これまでと同様に、無線装置に記憶されたプログラム、データ等を無線回線経由で更新する通信システムに関する。また、実施例７においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例７では、無線装置における受信電波環境が悪い場合に、低電界のために更新データを受信できない可能性が高いことを示す状態であることを通知する。実施例７に係る通信システム、無線装置、管理装置は、図１、図２、図５と同様のタイプである。ここでは、これまでとの差異を中心に説明する。
【００８１】
図２の状態管理部２４は、無線装置１０の状態を取得する。具体的に説明すると、通信部２０において受信した信号に対する電界強度が低い場合、例えば、ＲＳＳＩ値が−１１０ｄＢｍ以下である場合、状態管理部２４は、その状態を取得する。状態管理部２４は、記憶部２６を参照することによって、取得した状態に対応した「状態識別Ｎｏ．」を特定する。ここでは、例えば、状態「電界強度低下」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。
【００８２】
以上の構成による通信システム１００の動作を説明する。図２１は、本発明の実施例７に係る通信システム１００によるデータ書換手順を示すシーケンス図である。管理装置１６は、第３無線装置１０ｃにデータ書換通知を送信し（Ｓ６００）、第２無線装置１０ｂにデータ書換通知を送信し（Ｓ６０２）、第１無線装置１０ａにデータ書換通知を送信する（Ｓ６０４）。第１無線装置１０ａから第３無線装置１０ｃは、データ待ち受け状態に遷移する。第１無線装置１０ａは電界強度が低いことを検出する（Ｓ６０６）とともに、管理装置１６に状態通知を送信する（Ｓ６０８）。管理装置１６は、状態通知をもとに順序を変更する（Ｓ６１０）。図２２は、本発明の実施例７に係る記憶部５８に記憶されたテーブルのデータ構造を示す。図示のごとく、第１無線装置１０ａの優先度重み値が「９７」にされ、そのデータ書換順序が「３」にされる。図２１に戻る。管理装置１６は、データ書換、つまり更新を開始する（Ｓ６１２）。
【００８３】
管理装置１６は、更新データである無線機データを第３無線装置１０ｃに送信する（Ｓ６１４、Ｓ６１６、Ｓ６１８）。第３無線装置１０ｃは、管理装置１６に受信終了を通知する（Ｓ６２０）とともに、データ待ち受け状態を解除する。管理装置１６は、更新データである無線機データを第２無線装置１０ｂに送信する（Ｓ６２２、Ｓ６２４、Ｓ６２６）。第２無線装置１０ｂは、管理装置１６に受信終了を通知する（Ｓ６２８）とともに、データ待ち受け状態を解除する。管理装置１６は、更新データである無線機データを第１無線装置１０ａに送信する（Ｓ６３０、Ｓ６３２、Ｓ６３４）。第１無線装置１０ａは、管理装置１６に受信終了を通知する（Ｓ６３６）とともに、データ待ち受け状態を解除する。管理装置１６は、データ書換を終了する（Ｓ６３８）。
【００８４】
本実施例によれば、受信電波環境は悪いが、受信自体はできている状態であることを管理装置に通知するので、受信電波環境が悪く、その後受信できなくなる可能性の高い無線装置に対するデータ書換順序を下げることができる。また、受信電波環境が悪い無線装置への書換は多くリトライ動作を伴い、特に長時間、書換用の周波数を占有するおそれがあるので、そのような占有を抑制できる。
【００８５】
（実施例８）
次に、実施例８を説明する。本発明の実施例８も、これまでと同様に、無線装置に記憶されたプログラム、データ等を無線回線経由で更新する通信システムに関する。また、実施例８においても、無線装置の状態に応じて無線装置に対する更新処理を効率的に実行するために、管理装置は、無線装置からの状態通知を受信すると優先順位を調節して更新処理を実行する。実施例１では、無線装置が、電源オフあるいは充電開始の際に、これから通信を実行しないので更新データを受信できる可能性が高いことを示す状態であることを通知する。一方、実施例８では、無線装置に備えられた加速度センサからの入力をもとに移動していることを確認した場合に、無線装置１０をこれから使用するので更新データを受信できない可能性が高い状態であることを通知する。実施例８に係る通信システム、無線装置、管理装置は、図１、図２、図５と同様のタイプである。ここでは、これまでとの差異を中心に説明する。
【００８６】
図２の状態管理部２４は、無線装置１０の状態を取得する。具体的に説明すると、無線装置１０に備えられた加速度センサによる検出結果が移動を示している場合、例えば、検出された加速度がしきい値よりも大きい場合、状態管理部２４は、移動状態を取得する。状態管理部２４は、記憶部２６を参照することによって、取得した状態に対応した「状態識別Ｎｏ．」を特定する。ここでは、例えば、状態「加速度センサ検出」に対応した「状態識別Ｎｏ．」が特定される。状態送信部２８は、状態管理部２４から、無線装置１０の状態を示した「状態識別Ｎｏ．」を入力する。状態送信部２８は、「状態識別Ｎｏ．」をもとに状態通知を生成し、状態通知を管理装置１６に送信する。
【００８７】
以上の構成による通信システム１００の動作を説明する。図２３は、本発明の実施例８に係る通信システム１００によるデータ書換手順を示すシーケンス図である。管理装置１６は、第３無線装置１０ｃにデータ書換通知を送信し（Ｓ７００）、第２無線装置１０ｂにデータ書換通知を送信し（Ｓ７０２）、第１無線装置１０ａにデータ書換通知を送信する（Ｓ７０４）。第１無線装置１０ａから第３無線装置１０ｃは、データ待ち受け状態に遷移する。第１無線装置１０ａは加速度センサ検出を取得する（Ｓ７０６）とともに、管理装置１６に状態通知を送信する（Ｓ７０８）。管理装置１６は、状態通知をもとに順序を変更する（Ｓ７１０）。図２４は、本発明の実施例８に係る記憶部５８に記憶されたテーブルのデータ構造を示す。図示のごとく、第１無線装置１０ａの優先度重み値が「９５」にされ、そのデータ書換順序が「３」にされる。図２３に戻る。管理装置１６は、データ書換、つまり更新を開始する（Ｓ７１２）。
【００８８】
管理装置１６は、更新データである無線機データを第３無線装置１０ｃに送信する（Ｓ７１４、Ｓ７１６、Ｓ７１８）。第３無線装置１０ｃは、管理装置１６に受信終了を通知する（Ｓ７２０）とともに、データ待ち受け状態を解除する。管理装置１６は、更新データである無線機データを第２無線装置１０ｂに送信する（Ｓ７２２、Ｓ７２４、Ｓ７２６）。第２無線装置１０ｂは、管理装置１６に受信終了を通知する（Ｓ７２８）とともに、データ待ち受け状態を解除する。管理装置１６は、更新データである無線機データを第１無線装置１０ａに送信する（Ｓ７３０、Ｓ７３２、Ｓ７３４）。第１無線装置１０ａは、管理装置１６に受信終了を通知する（Ｓ７３６）とともに、データ待ち受け状態を解除する。管理装置１６は、データ書換を終了する（Ｓ７３８）。
【００８９】
本実施例によれば、移動している無線装置に対して、データ書換順序を下げることができる。無線装置は、移動中は使用中である可能性が高いので、実運用上、使用中の無線装置のデータ書換順序を下げ、未使用中の無線装置のデータ書換順序を上げることができる。また、未使用中の無線装置のデータ書換順序を上げるので、未使用中の無線装置からデータの書換を実行できる。
【００９０】
（実施例９）
次に、実施例９を説明する。本発明の実施例９も、これまでと同様に、無線装置に記憶されたプログラム、データ等を無線回線経由で更新する通信システムに関する。また、実施例９においても、無線装置の状態に応じて無線装置に対する更新処理を効率的に実行するために、管理装置は、無線装置の状態通知を受信すると優先順位を調節して更新処理を実行する。実施例８では、これまでと異なって、管理装置がトランキング装置に接続され、無線装置はトランキング装置を介した通信を行う。トランキング装置は、トランキングシステムにおける制御を実行する。トランキングシステムとは、中継装置を介した通信において、空いている通話チャネルを自動的に割り当てるシステムのことである。通信を開始する際は、中継装置に対して制御チャネルにて通信相手を呼び出し、トランキングシステムが空いている通話チャネルにこの通信を移行させる。このようなトランキングシステムでは、常に中継装置を介した通信となるためトランキング装置が各無線装置の状態を把握することが可能である。そのため、管理装置は、トランキング装置から各無線装置の状態を状態通知として受けつける。管理装置は、状態通知をもとにこれまでと同様の処理を実行する。実施例９に係る管理装置は、図５と同様のタイプである。ここでは、これまでとの差異を中心に説明する。
【００９１】
図２５は、本発明の実施例９に係る通信システム１００の構成を示す。通信システム１００は、無線装置１０と総称される第１無線装置１０ａ、第２無線装置１０ｂ、第３無線装置１０ｃ、トランキング装置１８、ネットワーク１４、管理装置１６を含む。
【００９２】
管理装置１６は、複数の無線装置１０のそれぞれを更新させるための更新データを管理する。管理装置１６は、これまでと同様のデータ書換通知をトランキング装置１８経由で無線装置１０に送信する。トランキング装置１８は、複数の無線装置１０のそれぞれの通信状態を制御する。データ書換通知を受信した無線装置１０は、データ待ち受け状態に遷移する。データ待ち受け状態の無線装置１０は、トランキング装置１８を介して「Ｖｏｉｃｅ  Ｃａｌｌ」や「Ｅｍｅｒｇｅｎｃｙ  Ｃａｌｌ」を行う。このように、無線装置１０における通話や認証の動作は、トランキング装置１８に毎回通知される。トランキング装置１８は、そのような動作のＬｏｇ情報を状態通知として送信する。
【００９３】
管理装置１６は、トランキング装置１８から、複数の無線装置１０のそれぞれの状態に関するＬｏｇ情報を受信すると、Ｌｏｇ情報によって示された無線装置１０の状態を取得する。図２６は、本発明の実施例９に係る記憶部５８に記憶されたテーブルのデータ構造を示す。これは、図３に示されたテーブルと同様に示される。図２５に戻る。管理装置１６は、取得した状態をもとに複数の無線装置１０のそれぞれに対する優先順位を調節する。
【００９４】
図２７は、本発明の実施例９に係る記憶部５８に記憶された別のテーブルのデータ構造を示す。これは、図７と同様に示されるが、ここでは、図７と異なっている状態を説明する。優先度重み値を「初期値に戻す」ことは、状態「Ｒｅｇｉｓｔｒａｔｉｏｎ」に対して設定される。優先度重み付け値「−３」は、状態「Ｇｒｏｕｐ  Ｃａｌｌ」に対して設定される。これは、グループ通話を実行している場合である。優先度重み付け値「−５」は、状態「Ｉｎｄｉｖｉｄｕａｌ  Ｃａｌｌ」に対して設定されるに対して設定される。これは、個人通話であり、個人通話の通話時間はグループ通話の通話時間よりも長くなりやすいので、その優先度重み付け値はグループ通話の優先度重み付け値よりも低くなる。優先度重み付け値「−１０」は、状態「Ｅｍｅｒｇｅｎｃｙ  Ｃａｌｌ」に対して設定される。これは、緊急時の通話である。また、「データ更新対象から外す」、つまり「データ書換対象から外す」ことは、状態「Ｒｅｇｉｓｔｒａｔｉｏｎ  Ｃｌｅａｒ」に対して設定される。これは、別のシステムにローミングを開始することであり、データ更新の対象外になる。図２５に戻る。
【００９５】
このように、管理装置１６は、これまでと同様に優先度重み値を算出し、優先度重み値をもとにデータ書換順序を調節する。管理装置１６は、データ書換順序である優先順位に応じた順番によって複数の無線装置１０のそれぞれに更新データをトランキング装置１８経由で送信する。
【００９６】
以上の構成による通信システム１００の動作を説明する。図２８は、通信システム１００によるデータ書換手順を示すシーケンス図である。管理装置１６は、トランキング装置１８にデータ書換通知を送信し（Ｓ８００）、トランキング装置１８は、第１無線装置１０ａにデータ書換通知を送信する（Ｓ８０２）。第１無線装置１０ａは、データ待ち受け状態に遷移する（Ｓ８０４）。管理装置１６は、トランキング装置１８にデータ書換通知を送信し（Ｓ８０６）、トランキング装置１８は、第２無線装置１０ｂにデータ書換通知を送信する（Ｓ８０８）。第２無線装置１０ｂは、データ待ち受け状態に遷移する（Ｓ８１０）。管理装置１６は、トランキング装置１８にデータ書換通知を送信し（Ｓ８１２）、トランキング装置１８は、第３無線装置１０ｃにデータ書換通知を送信する（Ｓ８１４）。第３無線装置１０ｃは、データ待ち受け状態に遷移する（Ｓ８１６）。
【００９７】
第１無線装置１０ａは、「Ｖｏｉｃｅ  Ｃａｌｌ」を開始する（Ｓ８１８）。第１無線装置１０ａは、トランキング装置１８に「Ｖｏｉｃｅ  Ｃａｌｌ（Ｉｎｄｉｖｉｄｕａｌ  Ｃａｌｌ）」を送信し（Ｓ８２０）、トランキング装置１８は、管理装置１６に「Ｃｏｍｍｕｎｉｃａｔｉｏｎ  Ｌｏｇ情報」を送信する（Ｓ８２２）。また、トランキング装置１８は、第２無線装置１０ｂに「Ｖｏｉｃｅ  Ｃａｌｌ（Ｉｎｄｉｖｉｄｕａｌ  Ｃａｌｌ）」を送信する（Ｓ８２４）。第２無線装置１０ｂは、受信する（Ｓ８２６）。管理装置１６は、「Ｃｏｍｍｕｎｉｃａｔｉｏｎ  Ｌｏｇ情報」である状態通知をもとに順序を変更する（Ｓ８２８）。図２９（ａ）−（ｃ）は、記憶部５８に記憶されたテーブルのデータ構造を示す。図２９（ａ）は、変更されたデータ書換順序を示す。図示のごとく、第１無線装置１０ａと第２無線装置１０ｂの優先度重み値が「９５」にされ、それらのデータ書換順序が「２」、「３」にされる。図２９（ｂ）−（ｃ）については後述し、図２８に戻る。
【００９８】
第１無線装置１０ａは、「Ｅｍｅｒｇｅｎｃｙ  Ｃａｌｌ」を開始する（Ｓ８３０）。第１無線装置１０ａは、トランキング装置１８に「Ｅｍｅｒｇｅｎｃｙ  Ｃａｌｌ」を送信し（Ｓ８３２）、トランキング装置１８は、管理装置１６に「Ｃｏｍｍｕｎｉｃａｔｉｏｎ  Ｌｏｇ情報」を送信する（Ｓ８３４）。管理装置１６は、「Ｃｏｍｍｕｎｉｃａｔｉｏｎ  Ｌｏｇ情報」である状態通知をもとに順序を変更する（Ｓ８３６）。図２９（ｂ）は、変更されたデータ書換順序を示す。図示のごとく、第１無線装置１０ａの優先度重み値が「８５」にされ、それのデータ書換順序が「３」にされる。図２９（ｃ）については後述し、図２８に戻る。
【００９９】
第３無線装置１０ｃは、トランキング装置１８に「Ｓｙｓｔｅｍ（Ｚｏｎｅ）」を変更する（Ｓ８３８）。第３無線装置１０ｃは、トランキング装置１８に「Ｒｅｇｉｓｔｒａｔｉｏｎ  Ｃｌｅａｒ」を送信し（Ｓ８４０）、トランキング装置１８は、管理装置１６に「Ｃｏｍｍｕｎｉｃａｔｉｏｎ  Ｌｏｇ情報」を送信する（Ｓ８４２）。第３無線装置１０ｃは、データ待ち受け状態を解除する（Ｓ８４４）。管理装置１６は、「Ｃｏｍｍｕｎｉｃａｔｉｏｎ  Ｌｏｇ情報」である状態通知をもとに順序を変更する（Ｓ８４６）。図２９（ｃ）は、変更されたデータ書換順序を示す。図示のごとく、第３無線装置１０ｃが対象外にされる。図２８に戻る。
【０１００】
管理装置１６は、データ書換、つまり更新を開始する（Ｓ８４８）。管理装置１６は、更新データである無線機データをトランキング装置１８に送信し（Ｓ８５０）、トランキング装置１８は、無線機データを第２無線装置１０ｂに送信する（Ｓ８５２）。管理装置１６は、更新データである無線機データをトランキング装置１８に送信し（Ｓ８５４）、トランキング装置１８は、無線機データを第２無線装置１０ｂに送信する（Ｓ８５６）。第２無線装置１０ｂは、トランキング装置１８に受信終了を通知し（Ｓ８５８）、トランキング装置１８は、管理装置１６に受信終了を通知する（Ｓ８６０）。第２無線装置１０ｂは、データ待ち受け状態を解除する（Ｓ８６２）。
【０１０１】
管理装置１６は、更新データである無線機データをトランキング装置１８に送信し（Ｓ８６４）、トランキング装置１８は、無線機データを第１無線装置１０ａに送信する（Ｓ８６６）。管理装置１６は、更新データである無線機データをトランキング装置１８に送信し（Ｓ８６８）、トランキング装置１８は、無線機データを第１無線装置１０ａに送信する（Ｓ８７０）。第１無線装置１０ａは、トランキング装置１８に受信終了を通知し（Ｓ８７２）、トランキング装置１８は、管理装置１６に受信終了を通知する（Ｓ８７４）。第１無線装置１０ａは、データ待ち受け状態を解除する（Ｓ８７６）。管理装置１６は、データ書換を終了する（Ｓ８７８）。
【０１０２】
本実施例によれば、トランキングシステムを用いた場合、ログ情報から、送信動作、チャネル変更(Ｚｏｎｅ変更)、Ｖｏｉｃｅ  Ｃａｌｌ、Ｒｅｇｉｓｔｒａｔｉｏｎの状態を知ることができる。また、ログ情報からデータ書換順序を更新するので、無線装置からの状態通知の送信を不要にできる。また、ログ情報から、Ｉｎｄｉｖｉｄｕａｌ  Ｃａｌｌ、Ｇｒｏｕｐ  Ｃａｌｌ、Ｅｍｅｒｇｅｎｃｙ  ＣａｌｌなどのＣａｌｌ種別が判別されるので、種別によってデータ書換順序を変えることができる。また、他システムをローミング始めた場合は更新データを受信不可能になるので、データ書換の対象無線装置から除外することによって、データ書換失敗して時間を要することを抑制できる。
【０１０３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【０１０４】
本実施例１乃至９によれば、通信システム１００は、業務用無線を使用している。しかしながらこれに限らず例えば、業務用無線以外の無線通信システムが使用されてもよい。本実施例によれば、構成の自由度を向上できる。
【０１０５】
本実施例１乃至９によれば、データ書換通知が管理装置１６から無線装置１０に送信されている。しかしながらこれに限らず例えば、データ書換通知が送信されなくてもよい。その場合、管理装置１６は、状態通知を適宜取得する。本変形例によれば、管理装置は状態通知を自動的に取得できる。
【符号の説明】
【０１０６】
１０  無線装置、  １２  基地局装置、  １４  ネットワーク、  １６  管理装置、  ２０  通信部、  ２２  受付部、  ２４  状態管理部、  ２６  記憶部、  ２８  状態送信部、  ３０  更新データ受信部、  ３２  更新部、  ５０  通知部、  ５２  通信部、  ５４  状態通知受信部、  ５６  調節部、  ５８  記憶部、  ６０  更新データ送信部、  １００  通信システム。
【図１】
2018136586.tif 000003
【図２】
2018136586.tif 000004
【図３】
2018136586.tif 000005
【図４】
2018136586.tif 000006
【図５】
2018136586.tif 000007
【図６】
2018136586.tif 000008
【図７】
2018136586.tif 000009
【図８】
2018136586.tif 000010
【図９】
2018136586.tif 000011
【図１０】
2018136586.tif 000012
【図１１】
2018136586.tif 000013
【図１２】
2018136586.tif 000014
【図１３】
2018136586.tif 000015
【図１４】
2018136586.tif 000016
【図１５】
2018136586.tif 000017
【図１６】
2018136586.tif 000018
【図１７】
2018136586.tif 000019
【図１８】
2018136586.tif 000020
【図１９】
2018136586.tif 000021
【図２０】
2018136586.tif 000022
【図２１】
2018136586.tif 000023
【図２２】
2018136586.tif 000024
【図２３】
2018136586.tif 000025
【図２４】
2018136586.tif 000026
【図２５】
2018136586.tif 000027
【図２６】
2018136586.tif 000028
【図２７】
2018136586.tif 000029
【図２８】
2018136586.tif 000030
【図２９】
2018136586.tif 000031